(57)【特許請求の範囲】
【請求項１】
筐体と、
前記筐体内で回転可能に設けられたファンと、
前記ファンと重なった通気口が設けられ前記ファンが収容された空間を構成するととも
に前記ファンに面した前記筐体の第一の壁部と、
前記第一の壁部とは別体であり、前記第一の壁部より前記筐体内側で前記ファンの前記
第一の壁部とは反対側に位置され、当該第一の壁部に取り付けられ、前記ファンが収容さ
れた空間を構成するとともに前記ファンに面した第二の壁部と、
前記第一の壁部と前記第二の壁部との間に亘った第三の壁部と、
を備え、
前記第三の壁部は、前記第二の壁部から一体的に突出し、
前記第三の壁部の前記第一の壁部側の端部と前記第一の壁部との間の隙間を覆う覆部が
設けられた、電子機器。
【請求項２】
前記覆部は、前記第一の壁部の前記筐体内側の面に沿って延びた、請求項１に記載の電
子機器。
【請求項３】
前記覆部として可撓性部材を備えた、請求項１または２に記載の電子機器。
【請求項４】
前記覆部として前記第三の壁部の前記第一の壁部側の端部と当該第一の壁部との間に挟
まれたシール部材を備えた、請求項１〜３のうちいずれか一つに記載の電子機器。
【請求項５】
前記第一の壁部は、補強部を有した、請求項１〜４のうちいずれか一つに記載の電子機
器。
【請求項６】
前記ファンは、前記第二の壁部に回転可能に支持された、請求項１〜５のうちいずれか
一つに記載の電子機器。
【請求項７】
前記ファンは、前記第一の壁部に回転可能に支持された、請求項１〜５のうちいずれか
一つに記載の電子機器。
【発明の詳細な説明】
【技術分野】
【０００１】
本発明の実施形態は、電子機器に関する。
【背景技術】
【０００２】
従来、筐体にファンが設けられた電子機器が、知られている。
【先行技術文献】
【特許文献】
【０００３】
【特許文献１】特開２００７−１４９００７号公報
【発明の概要】
【発明が解決しようとする課題】
【０００４】
ファンが設けられた電子機器では、ファンに関連した新規な構成によって、例えばより構成が簡素化される等の利点が得られたり、不都合が少なくなったりするのは、好ましい。
【０００５】
そこで、本発明の実施形態は、一例として、ファンに関連した新規な構成によって不都合が減るあるいは利点が得られる電子機器を得ることを、目的の一つとする。
【課題を解決するための手段】
【０００６】
実施形態によれば、電子機器は、筐体と、前記筐体内で回転可能に設けられたファンと
、  前記ファンと重なった通気口が設けられ前記ファンが収容された空間を構成するとと
もに前記ファンに面した前記筐体の第一の壁部と、前記第一の壁部とは別体であり、前記
第一の壁部より前記筐体内側で前記ファンの前記第一の壁部とは反対側に位置され、当該
第一の壁部に取り付けられ、前記ファンが収容された空間を構成するとともに前記ファン
に面した第二の壁部と、前記第一の壁部と前記第二の壁部との間に亘った第三の壁部と、
を備え、前記第三の壁部は、前記第二の壁部から一体的に突出し、前記第三の壁部の前記
第一の壁部側の端部と前記第一の壁部との間の隙間を覆う覆部が設けられた。
【図面の簡単な説明】
【０００７】
【図１】図１は、第１実施形態にかかるテレビジョン受像機の一例の正面図である。
【図２】図２は、第１実施形態にかかるテレビジョン受像機の一例の側面図である。
【図３】図３は、図１のIII−III線での模式的な断面図である。
【図４】図４は、第１実施形態にかかるテレビジョン受像機に含まれたファンの一例の平面図である。
【図５】図５は、第１実施形態にかかるテレビジョン受像機に含まれたファンユニットの一例の正面図である。
【図６】図６は、第２実施形態にかかるテレビジョン受像機の図３と同等位置での断面図である。
【図７】図７は、第３実施形態にかかる電子機器の一例の斜視図である。
【図８】図８は、第３実施形態にかかる電子機器の第二筐体の一例の平面図（下面図）である。
【図９】図９は、図８のIX−IX断面図である。
【図１０】図１０は、第３実施形態の第１変形例にかかる電子機器の一例の、図９と同等位置での断面図である。
【図１１】図１１は、第３実施形態の第２変形例にかかる電子機器の第三壁部の一例が示された断面図である。
【図１２】図１２は、第３実施形態の第３変形例にかかる電子機器の第三壁部の一例が示された断面図である。
【図１３】図１３は、第３実施形態の第４変形例にかかる電子機器のファンの軸受部の一例が示された断面図である。
【図１４】図１４は、第３実施形態の第５変形例にかかる電子機器のファンの軸受部の一例が示された断面図である。
【発明を実施するための形態】
【０００８】
以下の例示的な複数の実施形態には、同様の構成要素が含まれている。よって、以下では、同様の構成要素には共通の符号が付されるとともに、重複する説明が省略される。
【０００９】
また、以下の実施形態では、電子機器がテレビジョン受像機や所謂ノートブック型（クラムシェル型）のパーソナルコンピュータとして構成された場合が例示されるが、本実施形態にかかる電子機器は、これには限定されない。本実施形態にかかる電子機器は、ファンを備えた電子機器、具体的には、例えば、所謂デスクトップ型やタブレット型（スレート型）のパーソナルコンピュータや、スマートテレビ、映像表示装置、プロジェクタ等として構成することができる。
【００１０】
＜第１実施形態＞
本実施形態では、一例として、図１，２に示されるように、テレビジョン受像機１Ａ（電子機器）は、支持部２Ａと筐体３Ａとを備える。具体的に、筐体３Ａには、表示装置４の少なくとも一部が収容されている。支持部２Ａ（スタンド部、台部、脚部）は、筐体３Ａを支持する。支持部２Ａは、筐体３Ａを、移動可能（回動可能）に支持することができる。その場合の筐体３Ａの動きとしては、例えば、チルト、ピボット、スイベル等がある。
【００１１】
筐体３Ａは、本実施形態では、一例として、図１に示されるように、正面視および背面視では四角形状（本実施形態では、一例として長方形状）に構成されている。また、筐体３Ａは、本実施形態では、一例として、図２に示されるように、前後方向に薄い扁平な直方体状に構成されている。筐体３Ａは、面３ａ（前面、上面、正面、面部）とこの反対側の面３ｂ（後面、下面、背面、面部）と、を有する。面３ａと面３ｂとは略平行している。また、筐体３Ａは、図１に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００１２】
また、筐体３Ａは、一例として、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、四角形状（本実施形態では、一例として長方形状）である。また、筐体３Ａは、壁部３ｋと壁部３ｍとの間に亘った面３ｐ（側面、周面）を有する四つの壁部３ｎ（部分、プレート、側壁部、端壁部、立壁部、亘部）を有する。なお、壁部３ｋには、一例としては四角形状の開口部３ｒが設けられている。よって、壁部３ｋは、四角形状かつ枠状である。
【００１３】
さらに、筐体３Ａは、複数の部品（分割体）が組み合わせられて構成されることができる。筐体３Ａは、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、筐体３Ａは、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。筐体３Ａは、金属材料や、合成樹脂材料等で構成されることができる。なお、第一筐体部材３１や第二筐体部材３２の筐体３Ａ内側には、リブ等の壁部（突出部、突出壁部、図示されず）が設けられることができる。これら壁部により、筐体３Ａの剛性が高くなりやすい。
【００１４】
また、本実施形態では、一例として、筐体３Ａの面３ｂや面３ｐ等には、コネクタや操作部等（図示されず）が設けられることができる。コネクタは、例えば、電源ケーブル用のコネクタや、ＵＳＢ（universal serial bus）コネクタ、カードコネクタ、イヤホンやマイクのコネクタ等であることができる。操作部は、例えば、押しボタンや、押しスイッチ、スライドスイッチ、ポインティングデバイス、ダイヤル等であることができる。また、面３ａには、カメラモジュール（カメラ、撮像装置、図示されず）を設けることができる。
【００１５】
また、本実施形態では、一例として、図１に示されるように、表示装置４（表示部、ディスプレイ、パネル）の、面３ａ側に位置した表示画面４ａは、開口部３ｒを介して筐体３Ａの前方（外方）に露出している。ユーザ等は、前方側から開口部３ｒを介して表示画面４ａを視認することができる。表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００１６】
また、本実施形態では、一例として、表示装置４の前側（表側、壁部３ｋ側）には、タッチパネル５（一例としては入力操作パネル、タッチセンサ、操作面、カバー）が設けられている。タッチパネル５は、透明な比較的薄い四角形状に構成され、表示画面４ａを覆っている。ユーザ等は、例えば、手指や部品（例えばスタイラス等、図示されず）等でタッチパネル５に対して、触れる、押す、擦る、あるいは手指やスタイラス等をタッチパネル５の近傍で動かす等の操作を行うことで、入力処理を実行することができる。また、表示装置４の表示画面４ａから出た光は、タッチパネル５を通過して壁部３ｋの開口部３ｒから筐体３Ａの前方（外方）へ出る。
【００１７】
そして、本実施形態では、一例として、筐体３Ａ内には、表示装置４の後側（裏側、背後側、壁部３ｍ側、表示画面４ａとは反対側）に、一つ以上の基板６（回路基板、制御基板、メイン基板、電気部品、部品）が収容されている。基板６は、表示装置４と並行して設けられている。基板６は、壁部３ｋ，３ｍ，３ｎ等と離間した状態で、すなわち、壁部３ｋ，３ｍ，３ｎ等との間に空間（隙間）が形成された状態で、設けられている。
【００１８】
また、本実施形態では、一例として、基板６には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００１９】
また、本実施形態では、一例として、図１，３に示されるように、ファンユニット５０Ａが設けられている。ファンユニット５０Ａ（空冷装置、冷却装置）は、ファン６１を回転させることにより、空気を吸入し排出する。ファン６１の回転によって形成された空気流により、筐体３Ａの内部の発熱体（部品、電子部品、電気部品、発熱部）や、冷却装置の熱交換器（熱交換部、放熱フィン）等が冷却される。
【００２０】
また、本実施形態では、一例として、図３に示されるように、ファンユニット５０Ａは、筐体３Ａの壁部３ｍ（外壁部、天壁部、底壁部、第一の壁部）の面３ｂとは反対側の面３ｍ１（内面、筐体内側の面）に取り付けられている。本実施形態では、一例として、ファンユニット５０Ａは、軸方向一方側に開放されており、当該軸方向一方側の壁部を有さない。換言すれば、壁部３ｍが、ファンユニット５０Ａのケース（筐体）の一部（回転軸Ａｘの軸方向一方側の壁部）として構成されている。壁部３ｍは、ファン６１の軸方向一方側を覆っている。壁部３ｍには、通気口３ｓが設けられている。
【００２１】
すなわち、本実施形態では、一例として、壁部５１ａ（内壁部、天壁部、底壁部、第二の壁部、ケース）と壁部５１ｃ（側壁部、周壁部、亘部、第三の壁部、ケース）とが一体化され、ケース部品５１が構成されている。本実施形態では、一例として、ケース部品５１は、図５に示されるように、結合具３０（固定具、例えばねじ等）によって、壁部３ｍの面３ｍ１上に取り付けられている。
【００２２】
壁部５１ａは、ファン６１の壁部３ｍとは反対側（回転軸Ａｘの軸方向他方側、筐体内側）に設けられ、回転軸Ａｘと交叉する方向（直交する方向）に拡がっている。すなわち、壁部５１ａは、ファン６１の筐体内側（軸方向他方側）を覆っている。壁部５１ａは、壁部３ｍと略平行である。壁部５１ａには、通気口５１ｄが設けられている。また、壁部５１ｃは、壁部３ｍと壁部５１ａとの間に亘っている。壁部５１ｃには、通気口５１ｆが設けられている。通気口５１ｆは、ファン６１の径方向の一方側（本実施形態では、一例として図１の上側）に設けられている。すなわち、壁部５１ｃは、通気口５１ｆが設けられた部分以外で、ファン６１の径方向外側を、覆っている。
【００２３】
通気口３ｓ，５１ｄは、ファンユニット５０Ａの厚さ方向（回転軸Ａｘの軸方向、筐体３Ａの厚さ方向、壁部３ｍと壁部５１ａとの重なり方向（対向方向））に、ファン６１と重なっている。通気口５１ｅは、ファンユニット５０Ａの厚さ方向と直交する方向（回転軸Ａｘの径方向、面３ｍ１に沿った方向）に、ファン６１と重なっている。ファン６１の設計により、空気が流れる方向は適宜に変更することができる。
【００２４】
回転体５２（回転部、可動部、ロータ）は、図４に示されるように、ファン６１およびシャフト６２（軸部、柱部）を有している。回転体５２は、ケース部品５１に収容されている。回転体５２は、シャフト６２を中心として回転する。換言すれば、シャフト６２は、ファンユニット５０Ａの厚さ方向に沿って延在している。
【００２５】
ファン６１は、シャフト６２の一端部が固定された基部６１ａと、基部６１ａの周面６１ｂから延出した複数のブレード６１ｃとを有している。ファン６１は、合成樹脂材料あるいは金属材料で構成される。基部６１ａは、カップ状に形成され、その開口部が壁部３ｍに向いた姿勢で配置されている。基部６１ａは、円板状の基壁部６１ｆと、この基壁部６１ｆの周縁部から壁部３ｍへ向けて延出した側壁部６１ｇとを有している。側壁部６１ｇの外周面が、基部６１ａの周面６１ｂである。基壁部６１ｆの内面には、凹状の軸固定部６１ｈが設けられており、この軸固定部６１ｈにシャフト６２の一端部が挿入して固定されている。
【００２６】
また、ファン６１は、図４に示されるように、その外周部に円環状の接続部材６１ｄを有している。接続部材６１ｄは、複数のブレード６１ｃの軸方向側の外縁部同士を接続している。また、ブレード６１ｃの端部６１ｅは、その内周部から外周部に向かうにしたがい、壁部５１ａから離間するように湾曲（傾斜）して形成されている。
【００２７】
軸受部５３は、ケース部品５１に固定されたベース部品６３に設けられ、シャフト６２を回転可能に支持している。ベース部品６３は、ケース部品５１に、例えば接着やねじ止め等されることで固定される（取り付けられる）。なお、ベース部品６３は、ケース部品５１と一体成形することもできる。軸受部５３は、円筒状に形成されている。軸受部５３は、例えば、ニードル軸受、ボール軸受、すべり軸受、流体軸受、含油軸受等として構成することができる。軸受部５３は、ベース部品６３の基部６３ａに立設された円筒部５１ｉの筒内に形成された開口部５１ｐに嵌合されて基部６３ａに固定されている。また、円筒部５１ｉの底面には、スラスト板５５が固定されている。スラスト板５５は、シャフト６２の軸方向の端面を支持する。基部６３ａに設けられた軸受部５３の開口部５１ｐには、シャフト６２の少なくとも一部が収容されている。軸受部５３は、回転部としての回転体５２の少なくとも一部が収容され該回転体５２が回転可能に支持された支持部の一例である。
【００２８】
モータ部５４は、図３に示されるように、ステータ５４ａと、ステータ５４ａを囲繞したロータ５４ｂと、回路基板５４ｃと、を有する。ステータ５４ａは、巻線５４ｄを装着した鉄心５４ｅを有する。ロータ５４ｂは、円筒状のヨーク５４ｆと、ヨーク５４ｆの内周面に周方向に沿って相互に間隔をあけて固定された複数の磁石５４ｇと、を有する。ヨーク５４ｆは、基部６１ａの側壁部６１ｇの内周側に固定されている。回路基板５４ｃには、リード線５６が接続されており、回路基板５４ｃは、リード線５６から供給される電力を巻線５４ｄに伝える。モータ部５４は、磁石５４ｇと、この磁石５４ｇに対向するステータ５４ａの電磁作用により、ロータ５４ｂが回転するようになっており、ロータ５４ｂの回転によって回転体５２が回転する。
【００２９】
また、ファンユニット５０Ａには、軸受部５３から離脱する方向への回転体５２の移動を規制する移動規制構造５７（抜止部、抜止構造、抜止機構）が設けられている。移動規制構造５７は、回転体５２に設けられた当接部５８（支持部）と、壁部３ｍに設けられた規制部５９（支持部）と、を有する。
【００３０】
当接部５８は、基部６１ａに設けられている。詳細には、基部６１ａの基壁部６１ｆの中央部の外面が当接部５８を構成している。
【００３１】
規制部５９は、突出部５９ａ（突起）と支持部５９ｂとを有する。突出部５９ａは、支持部５９ｂから当接部５８に向けて筐体内側に突出している。突出部５９ａは、当接部５８に接離可能となっている。
【００３２】
ここで、通常は、ステータ５４ａに対する磁石５４ｇの引力（磁力）によって、回転体５２は、突出部５９ａと当接部５８との間の規定距離を維持した状態で回転や停止をしているが、ファンユニット５０Ａに外力等が加わって、その引力に抗して回転体５２が軸受部５３から離脱する方向へ移動することがある。このように、ファンユニット５０Ａに衝撃が加わって、回転体５２が軸受部５３から離脱する方向へ移動した場合、回転体５２に設けられた当接部５８がケース部品５１に設けられた規制部５９に当接する。これにより、規制部５９が、軸受部５３から離脱する方向への回転体５２の移動を規制する。別の言い方をすると、規制部５９は、当接部５８と当接することで開口部５１ｐから離脱する方向への柱部としてのシャフト６２の移動を抑制する。そして、外力等の影響が無くなると、磁石５４ｇの引力（磁力）によって、回転体５２は、突出部５９ａと当接部５８との間の規定距離を確保した位置に復帰する。このように、本実施形態では、回転体５２の軸方向に沿った移動を規制する。
【００３３】
また、本実施形態では、一例として、図３，５に示されるように、筐体３Ａの壁部３ｍには、壁部５１ｃの一部（突出側の端部）を覆う壁部３ｖ（覆部）が突出されている。壁部３ｖは、壁部５１ｃと壁部３ｍとの間の隙間を覆っている。よって、本実施形態によれば、一例としては、当該隙間から空気が漏れるのが抑制される。よって、一例としては、ファンユニット５０Ａの動作（ファン６１の回転）における動作効率、ひいては冷却効率が低下するのが抑制される。また、壁部３ｖは、ケース部品５１（ファンユニット５０Ａ）を筐体３Ａに設ける際の、位置決め部（ガイド部）としても機能する。また、かかる構造は、換言すれば、ファンユニット５０Ａの側壁部（第三の壁部）が、ケース部品５１の壁部５１ｃと筐体３Ａの壁部３ｖとが、回転軸Ａｘの軸方向に重なって構成されているということができる。このように、壁部５１ｃ，３ｖが重なった構成により、この部分の空気抵抗が増大し、空気が抜けにくくなる。
【００３４】
以上、説明したように、本実施形態では、一例として、ファンユニット５０Ａのケースが、テレビジョン受像機１Ａの筐体３Ａの壁部３ｍによって構成された。よって、本実施形態によれば、一例としては、ファンユニット５０Ａの部品点数を減らしたり、ファンユニット５０Ａの構成を簡素化したりすることができる。また、本実施形態によれば、一例としては、ファンユニット５０Ａの厚さをより薄くすることができ、よって、一例としては、筐体３Ａの厚さをより薄くすることができる。
【００３５】
＜第２実施形態＞
本実施形態にかかるテレビジョン受像機１Ｂでは、ファンユニット５０Ｂは、一例として、図６に示されるように、モータ部５４およびファン６１を支持するベース部品６３が、ケース部品５１ではなく、筐体３Ｂの壁部３ｍに固定されている。ベース部品６３は、壁部３ｍに、例えば接着やねじ止め等することで、固定される（取り付けられる）。したがって、本実施形態では、一例として、モータ部５４およびファン６１の軸方向の向きが、上記第１実施形態にかかるテレビジョン受像機１Ａとは、逆になっている。しかしながら、かかる構成によっても、ファンユニット５０Ｂの軸方向の壁部が、筐体３Ｂの壁部３ｍとして共用されている。よって、本実施形態によっても、上記第１実施形態と同様の結果（効果）が得られる。
【００３６】
＜第３実施形態＞
本実施形態では、一例として、図７に示されるように、電子機器１Ｃは、第一筐体３Ｃと第二筐体２Ｃとを備える。具体的に、第一筐体３Ｃ（第一部分）には、表示装置４の少なくとも一部が収容される。また、第一筐体３Ｃには、表示装置４と重なって透明なタッチパネル５（タッチセンサ、入力操作部、入力受付部、入力部）が設けられている。ユーザ等は、タッチパネル５を介して表示装置４の表示画面４ａに表示される映像（画像）を視認することができる。
【００３７】
図７に示されるように、第二筐体２Ｃ（第二部分）には、基板６が収容されている。第二筐体２Ｃには、キーボード７（入力操作部、第一入力操作部、入力受付部、入力部）や、ポインティングデバイス８ａ（入力操作部、第二入力操作部、入力受付部、入力部）、クリックボタン８ｂ（入力操作部、入力受付部、入力部）等が設けられる。
【００３８】
第一筐体３Ｃと第二筐体２Ｃとは、ヒンジ機構９（ヒンジ部、接続部、連結部、回動支持部、接続機構、連結機構、回動支持機構）によって回動可能に接続されている。第一筐体３Ｃと第二筐体２Ｃとは、ヒンジ機構９により、少なくとも図７に示される展開状態と、図示されない折り畳み状態との間で回動可能に接続されている。本実施形態では、一例として、ヒンジ機構９は、第一筐体３Ｃと第二筐体２Ｃとを、回動軸Ａｘ２回りに回動可能に、接続している。
【００３９】
表示装置４の表示画面４ａは、第一筐体３Ｃの面３ａ（前面、上面、正面、面部）に設けられた開口部３ｒを介して視認可能である。また、キーボード７や、ポインティングデバイス８ａ、クリックボタン８ｂ等は、第二筐体２Ｃの面２ａ（前面、上面、正面、面部）に露出している。折り畳み状態では、第一筐体３Ｃの面３ａと第二筐体２Ｃの面２ａとが重なり、表示画面４ａや、キーボード７、ポインティングデバイス８ａ、クリックボタン８ｂ等は、第一筐体３Ｃおよび第二筐体２Ｃに隠される。展開状態では、第一筐体３Ｃの面３ａおよび第二筐体２Ｃの面２ａが露出され、表示画面４ａや、キーボード７、ポインティングデバイス８ａ、クリックボタン８ｂ等は、使用可能（視認可能あるいは操作可能）になる。なお、第一筐体３Ｃの厚さ方向の一方がタッチパネルの面で覆われる場合もある。その場合、タッチパネルの面が第一筐体の面である。また、第二筐体２Ｃにキーボードに替えてタッチパネル付きの表示装置（図示されず）が設けられる場合もある。さらに、第二筐体２Ｃの厚さ方向の一方がタッチパネルの面で覆われる場合もある。その場合、タッチパネルの面が第二筐体の面である。
【００４０】
第一筐体３Ｃは、本実施形態では、一例として、図７に示されるように、正面視および背面視では四角形状（本実施形態では、一例として長方形状）に構成されている。また、第一筐体３Ｃは、本実施形態では、一例として、薄い扁平な直方体状に構成されている。第一筐体３Ｃは、面３ａとこの反対側の面３ｂ（後面、下面、背面、面部）と、を有する。面３ａと面３ｂとは略平行である。また、第一筐体３Ｃは、図７に示されるように、正面視では、四つの端部３ｃ〜３ｆ（辺部、縁部）と、四つの角部３ｇ〜３ｊ（尖部、曲部、端部）と、を有する。端部３ｃ，３ｅは、長辺部の一例である。また、端部３ｄ，３ｆは、短辺部の一例である。
【００４１】
また、第一筐体３Ｃは、面３ａを有する壁部３ｋ（部分、プレート、フレーム、前壁部、表壁部、天壁部）と、面３ｂを有する壁部３ｍ（部分、プレート、後壁部、裏壁部、底壁部）と、を有する。壁部３ｋ，３ｍは、四角形状（本実施形態では、一例として長方形状）である。また、第一筐体３Ｃは、壁部３ｋと壁部３ｍとの間に亘った面３ｐ（側面、周面）を有する四つの壁部３ｎ（部分、プレート、側壁部、端壁部、立壁部、亘部）を有する。なお、壁部３ｋには、一例としては四角形状の開口部３ｒが設けられている。よって、壁部３ｋは、四角形状かつ枠状である。
【００４２】
さらに、第一筐体３Ｃは、複数の部品（分割体）が組み合わせられて構成されることができる。第一筐体３Ｃは、本実施形態では、一例として、少なくとも壁部３ｋを含む第一筐体部材３１（第一部分、前側部材、マスク、マスク部、カバー、フロントカバー、カバー部、第一領域）と、少なくとも壁部３ｍを含む第二筐体部材３２（第二部分、後側部材、ベース、ベース部、ボトム、ボトム部、カバー、リヤカバー、カバー部、第二領域）とを有する。壁部３ｎは、第一筐体部材３１および第二筐体部材３２のうち少なくともいずれか一方（例えば、第二筐体部材３２）に含まれる。また、第一筐体３Ｃは、第一筐体部材３１および第二筐体部材３２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。第一筐体３Ｃは、金属材料や、合成樹脂材料等で構成されることができる。
【００４３】
また、本実施形態では、一例として、表示装置４（表示部、ディスプレイ、パネル）の、面３ａ側に位置した表示画面４ａは、開口部３ｒを介して第一筐体３Ｃの前方（外方）に露出している。ユーザ等は、前方側から開口部３ｒを介して表示画面４ａを視認することができる。表示装置４は、正面視では四角形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００４４】
また、本実施形態では、一例として、表示装置４の前側（表側、壁部３ｋ側）には、タッチパネル５（一例としては入力操作パネル、タッチセンサ、操作面、カバー）が設けられている。タッチパネル５は、透明な比較的薄い四角形状に構成され、表示画面４ａを覆っている。操作者（ユーザ等）は、例えば、手指や部品（例えばスタイラス等、図示されず）等でタッチパネル５に対して、触れる、押す、擦る、あるいは手指やスタイラス等をタッチパネル５の近傍で動かす等の操作を行うことで、入力処理を実行することができる。また、表示装置４の表示画面４ａから出た光は、タッチパネル５を通過して壁部３ｋの開口部３ｒから第一筐体３Ｃの前方（外方）へ出る。
【００４５】
第二筐体２Ｃは、本実施形態では、一例として、図７，８に示されるように、正面視および背面視では四角形状（本実施形態では、一例として長方形状）に構成されている。また、第二筐体２Ｃは、本実施形態では、一例として、薄い扁平な直方体状に構成されている。第二筐体２Ｃは、面２ａとこの反対側の面２ｂ（後面、下面、背面、面部）と、を有する。面２ａと面２ｂとは略平行である。また、第二筐体２Ｃは、面２ａに対する正面視では、四つの端部２ｃ〜２ｆ（辺部、縁部）と、四つの角部２ｇ〜２ｊ（尖部、曲部、端部）と、を有する。端部２ｃ，２ｅは、長辺部の一例である。また、端部２ｄ，２ｆは、短辺部の一例である。
【００４６】
また、第二筐体２Ｃは、面２ａを有する壁部２ｋ（部分、プレート、フレーム、前壁部、表壁部、天壁部）と、面２ｂを有する壁部２ｍ（部分、プレート、後壁部、裏壁部、底壁部）と、を有する。壁部２ｋ，２ｍは、四角形状（本実施形態では、一例として長方形状）である。また、第二筐体２Ｃは、壁部２ｋと壁部２ｍとの間に亘った面２ｐ（側面、周面）を有する四つの壁部２ｎ（部分、プレート、側壁部、端壁部、立壁部、亘部）を有する。なお、壁部２ｋには、一例としては四角形状の開口部２ｒが設けられている。よって、壁部２ｋは、四角形状かつ枠状である。
【００４７】
さらに、第二筐体２Ｃは、一例として、複数の部品（分割体）が組み合わせられて構成されることができる。第二筐体２Ｃは、本実施形態では、一例として、少なくとも壁部２ｋを含む第一筐体部材２１（第一部分、前側部材、マスク、マスク部、カバー、フロントカバー、カバー部、第一領域）と、少なくとも壁部２ｍを含む第二筐体部材２２（第二部分、後側部材、ベース、ベース部、ボトム、ボトム部、カバー、リヤカバー、カバー部、第二領域）とを有する。壁部２ｎは、第一筐体部材２１および第二筐体部材２２のうち少なくともいずれか一方（例えば、第二筐体部材２２）に含まれる。また、第二筐体２Ｃは、第一筐体部材２１および第二筐体部材２２とは別に、これらの間に位置した第三筐体部材（第三部分、中間部材、隔部材、障壁部材、壁部材、介在部材、インナプレート、ミドルプレート、ミドルフレーム、第三領域、図示されず）や、第四筐体部材（第四部分、中間部材、隔部材、障壁部材、壁部材、介在部材、覆部材、シールド、第四領域、図示されず）等を有することができる。第二筐体２Ｃは、金属材料や、合成樹脂材料等で構成されることができる。
【００４８】
また、本実施形態では、一例として、キーボード７の操作面７ａ（面、上面）は、開口部２ｒを介して第二筐体２Ｃの前方（外方）に露出している。面２ａにおいて、キーボード７は、端部２ｅ側に寄せて位置され、ポインティングデバイス８ａならびにクリックボタン８ｂは端部２ｅとは反対側の端部２ｃ側に寄せて配置されている。端部２ｅは奥行方向（前後方向）の奥側に位置され、端部２ｃは手前側に位置されている。
【００４９】
そして、本実施形態では、一例として、図７に示されるように、第二筐体２Ｃ内には、キーボード７の後側（裏側、背後側、壁部２ｍ側、操作面７ａとは反対側）に、一つ以上の基板６（回路基板、制御基板、メイン基板、電気部品、第一電気部品）が収容されている。基板６は、キーボード７と並行して設けられている。基板６は、壁部２ｋ，２ｍ，２ｎ等と離間した状態で、すなわち、壁部２ｋ，２ｍ，２ｎ等との間に空間（隙間）が形成された状態で、設けられている。
【００５０】
また、本実施形態では、一例として、基板６には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００５１】
また、本実施形態では、一例として、図８に示されるように、壁部２ｍ（第一の壁部）には、スリット状に開口され、放射状かつ円形状に配置された複数の通気口２ｓが設けられている。ファンユニット５０Ｃは、第二筐体２Ｃ内で、通気口２ｓと第二筐体２Ｃの厚さ方向に重なった位置、すなわち端部２ｅの近傍に、設けられている。
【００５２】
図９を図３と比較すれば明らかとなるように、本実施形態にかかるファンユニット５０Ｃの構造は、上記第１実施形態にかかるファンユニット５０Ａの構造と同様である。よって、本実施形態によっても、上記第１実施形態と同様の構成に基づく同様の結果（効果）が得られる。
【００５３】
また、本実施形態では、一例として、図９に示されるように、壁部５１ｃと壁部２ｍ（第一の壁部）との間には、弾性部材６４（可撓性部材、シール部材、覆部材、覆部）が設けられている。弾性部材６４は、一例としては、合成樹脂材料（例えば、発泡性の樹脂材料、スポンジ等）や、エラストマ（例えば、合成ゴム）等の、可撓性かつ弾性を有した部材で構成される。弾性部材６４は、壁部５１ｃと壁部２ｍとの間の隙間を覆い、この隙間をシールしている。よって、当該隙間から空気が漏れるのが抑制される。よって、一例としては、ファンユニット５０Ｃの動作（ファン６１の回転）における動作効率、ひいては冷却効率が低下するのが抑制される。また、弾性部材６４は、可撓性あるいは弾性を有するため、壁部５１ｃとの位置ずれが生じた場合にあっても、壁部５１ｃとの間をシールすることができる。また、弾性力によって接触部分の面圧が高まりやすくなり、シール性能がより高まりやすい。
【００５４】
また、本実施形態では、一例として、図９に示されるように、壁部２ｍのファンユニット５０Ｃと重なった部分は、第二筐体２Ｃの筐体外側に膨出され（屈曲され、曲げられ）、剛性が高められている。なお、壁部５１ａに、通気口を設けることも可能である。また、本実施形態にかかる電子機器１Ｃには、上記第２実施形態と同様の構成のファンユニット５０Ｂを適用することも可能である。
【００５５】
＜第１変形例＞
図１０を図９と比較すれば明らかとなるように、本変形例にかかる電子機器１Ｄの第二筐体２Ｄに収容されたファンユニット５０Ｄの構造は、上記第３実施形態にかかるファンユニット５０Ｃの構造と同様である。よって、本実施形態によっても、上記第３実施形態と同様の構成に基づく同様の結果（効果）が得られる。
【００５６】
ただし、本実施形態では、一例として、図１０に示されるように、壁部２ｍに補強部２ｔ，２ｕが設けられている。補強部２ｔは、他の部分より厚さが増大された厚肉部である。また、補強部２ｕは、壁部２ｍの筐体外側に突出された壁部（リブ、突出部）である。壁部２ｍには、このような補強部２ｔ，２ｕを適宜に設けることができる。なお、補強部は、壁部２ｍの筐体内側に設けることも可能である。
【００５７】
＜第２変形例＞
本変形例では、図１１に示されるように、ケース部品５１の壁部５１ｃの、ファン６１（回動軸Ａｘ、図９参照）とは反対側（図１１の右側）に、壁部２ｖ（覆部）が設けられている。そして、壁部５１ｃと壁部２ｖとの間に、弾性部材６４（可撓性部材、シール部材、覆部材、覆部）が設けられている。このような構成によっても、上記第３実施形態と同様の結果（効果）が得られる。
【００５８】
＜第３変形例＞
本変形例では、図１２に示されるように、ケース部品５１の壁部５１ｃと壁部２ｍとの間に弾性部材６４が設けられている。さらに、弾性部材６４は、壁部２ｖにも当接されている。このような構成によっても、上記第３実施形態や第２変形例と同様の結果（効果）が得られる。弾性部材６４は、組み立て前に、壁部５１ｃおよび壁部２ｍ，２ｖのうち一方に接着等によって取り付けておくことができる。
【００５９】
＜第４変形例＞
本変形例では、図１３に示されるように、移動規制構造５７の構成が上記他の実施形態や他の変形例とは異なっている。具体的には、移動規制構造５７は、シャフト６２に設けられた円環状の当接部５８（支持部）と、円筒部５１ｉに設けられた内向きかつ円環状の当接部６５（支持部）によって、構成されている。このような構成によれば、一例としては、壁部５１ｃ，３ｍ，２ｍに突出部５９ａを設けた場合に比べて、ファンユニットの厚さ、ひいては筐体の厚さがより薄くなりやすい。
【００６０】
＜第５変形例＞
本変形例では、図１４に示されるように、移動規制構造５７の構成が上記他の実施形態や他の変形例とは異なっている。具体的には、移動規制構造５７は、シャフト６２を貫通した状態に設けられた棒状の当接部５８と、円筒部５１ｉに設けられた内向きかつ円環状の当接部６５によって、構成されている。このような構成によっても、一例としては、壁部５１ｃ，３ｍ，２ｍに突出部５９ａを設けた場合に比べて、ファンユニットの厚さ、ひいては筐体の厚さがより薄くなりやすい。
【００６１】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態は、発明の範囲や要旨に含まれるとともに、特許請求の範囲に記載された発明とその均等の範囲に含まれる。また、各実施形態の構成や形状は、部分的に入れ替えて実施することも可能である。また、各構成や形状等のスペック（構造や、種類、方向、形状、大きさ、長さ、幅、厚さ、高さ、数、配置、位置、材質等）は、適宜に変更して実施することができる。また、ファンユニットが筐体ではなく基板に設けられる構成にも、本発明の構成を適用することができる。
【符号の説明】
【００６２】
１Ａ，１Ｂ…テレビジョン受像機（電子機器）、１Ｃ，１Ｄ…電子機器、２Ｃ，２Ｄ…第二筐体（筐体）、２ｍ，３ｍ…壁部（第一の壁部）、２ｓ…通気口、２ｔ，２ｕ…補強部、２ｖ，３ｖ…壁部（覆部、第二の部分）、３Ａ…筐体、３ｓ…通気口、５１ａ…壁部（第二の壁部）、５１ｃ…壁部（第三の壁部、第一の部分）、６１…ファン、６４…弾性部材（可撓性部材、シール部材、覆部）。
【図１】
0005378564.tif 000002
【図２】
0005378564.tif 000003
【図３】
0005378564.tif 000004
【図４】
0005378564.tif 000005
【図５】
0005378564.tif 000006
【図６】
0005378564.tif 000007
【図７】
0005378564.tif 000008
【図８】
0005378564.tif 000009
【図９】
0005378564.tif 000010
【図１０】
0005378564.tif 000011
【図１１】
0005378564.tif 000012
【図１２】
0005378564.tif 000013
【図１３】
0005378564.tif 000014
【図１４】
0005378564.tif 000015